(57)【要約】【課題】  印刷装置が備える特定の給紙手段から給紙するプレプリント紙に印刷される印刷結果をモバイル端末で確認する。【解決手段】    プレプリント紙を収容する複数の給紙手段を備える印刷装置と通信するモバイル端末であって、撮影手段と、前記撮影手段により撮影される前記給紙手段に収容するプレプリント紙の画像データと、印刷すべき印刷ジョブとを記憶する記憶手段と、前記プレプリント紙に対する用紙設定を前記表示画面により受け付ける受付手段と、前記記憶手段に記憶されたプレプリント紙の画像データ及び当該プレプリント紙に対する用紙設定と、前記印刷ジョブとを前記印刷装置に送信する送信手段と、前記印刷装置からプレプリント紙の画像データと、前記印刷ジョブから作成される印刷データとから合成した合成画像データを受信する受信手段と、前記印刷装置から受信した合成画像データを前記表示画面に表示する表示制御手段と、を備えることを特徴とする。【選択図】  図４Ａ
2015076036.tif 000002
【特許請求の範囲】
【請求項１】
モバイル端末と、プレプリント紙を収容する複数の給紙手段を備える印刷装置とが通信する印刷システムであって、
前記モバイル端末は、
撮影手段と、
前記撮影手段により撮影される前記給紙手段に収容するプレプリント紙の画像データと、印刷すべき印刷ジョブとを記憶する記憶手段と、
前記プレプリント紙に対する用紙設定を表示画面により受け付ける受付手段と、
前記記憶手段に記憶されたプレプリント紙の画像データ及び当該プレプリント紙に対する用紙設定と、前記印刷ジョブとを前記印刷装置に送信する送信手段と、
前記印刷装置からプレプリント紙の画像データと、前記印刷ジョブから作成される印刷データとから合成した合成画像データを受信する受信手段と、
前記印刷装置から受信した合成画像データを前記表示画面に表示する表示制御手段と、を備え、
前記印刷装置は、
前記モバイル端末から受信する印刷ジョブに基づいて印刷すべき印刷データを生成する生成手段と、
前記生成手段により生成された印刷データと前記前記モバイル端末から送信されるプレプリント紙の画像データとを合成して合成画像データを作成する画像処理手段と、
前記画像処理手段により作成された合成画像データを前記モバイル端末に転送する転送手段と、を備えることを特徴とする印刷システム。
【請求項２】
前記受付手段は、前記モバイル端末の本体に対する回転操作あるいは表示画面に対するタッチ操作に応じて前記表示画面に表示するプレプリント紙に対する用紙設定を受け付けることを特徴とする請求項１記載の印刷システム。
【請求項３】
前記受付手段は、前記印刷装置が備える給紙手段の形態を特定する機器情報に対応づけて前記プレプリント紙に対する設定を受け付けることを特徴とする請求項２記載の印刷システム。
【請求項４】
前記受付手段は、プレプリント紙を前記印刷装置に収容するための用紙サイズ、いずれかの給紙手段を特定する情報を前記表示画面に対応づけて受け付けることを特徴とする請求項２記載の印刷システム
【請求項５】
前記受付手段は、前記表示画面に表示されたプレプリント紙に対応づけて、印刷すべき画像情報に対する変倍指示を受け付けることを特徴とする請求項２記載の印刷システム。
【請求項６】
前記表示制御手段は、前記表示画面に表示された合成画像に対応づけてプレプリント紙を前記給紙手段にセットするためのセット手順を前記印刷装置から取得して表示することを特徴とする請求項１記載の印刷システム。
【請求項７】
前記プレプリント紙を収容する給紙手段は、前記印刷装置が備える各給紙手段を特定する情報に対応づけて前記表示画面に表示される給紙手段が選択されることで確定されることを特徴とすることを特徴とする請求項１記載の印刷システム。
【請求項８】
いずれかの給紙手段に収容されるプレプリント紙のサイズは、前記印刷装置が備える各給紙手段を特定する情報に対応づけて前記表示画面に表示されるサイズが選択されることで確定されることを特徴とすることを特徴とする請求項１記載の印刷システム。
【請求項９】
いずれかの給紙手段に収容されるプレプリント紙の向きは、前記印刷装置が備える各給紙手段を特定する情報に対応づけて前記表示画面に表示されるプレプリント紙の画像に対して操作される指示に応じて確定されることを特徴とすることを特徴とする請求項１記載の印刷システム。
【請求項１０】
前記給紙手段は、印刷されない面が上面となる状態でプレプリント紙を収容することを特徴とする請求項１記載の印刷システム。
【請求項１１】
前記給紙手段は、プレプリント紙を当該プレプリント紙の長手方向を給紙方向とするように収容することを特徴とする請求項１記載の印刷システム。
【請求項１２】
前記給紙手段は、プレプリント紙を当該プレプリント紙の短手方向を給紙方向とするように収容することを特徴とする請求項１記載の印刷システム。
【請求項１３】
プレプリント紙を収容する複数の給紙手段を備える印刷装置と通信するモバイル端末であって、
撮影手段と、
前記撮影手段により撮影される前記給紙手段に収容するプレプリント紙の画像データと、印刷すべき印刷ジョブとを記憶する記憶手段と、
前記プレプリント紙に対する用紙設定を表示画面により受け付ける受付手段と、
前記記憶手段に記憶されたプレプリント紙の画像データ及び当該プレプリント紙に対する用紙設定と、前記印刷ジョブとを前記印刷装置に送信する送信手段と、
前記印刷装置からプレプリント紙の画像データと、前記印刷ジョブから作成される印刷データとから合成した合成画像データを受信する受信手段と、
前記印刷装置から受信した合成画像データを前記表示画面に表示する表示制御手段と、を備えることを特徴とするモバイル端末。
【請求項１４】
プリント紙を収容する給紙手段を複数備える印刷装置であって、
モバイル端末と通信する通信手段と、
前記モバイル端末から受信する印刷ジョブに基づいて印刷すべき印刷データを生成する生成手段と、
前記生成手段により生成された印刷データと前記前記モバイル端末から送信されるプレプリント紙の画像データとを合成して合成画像データを作成する画像処理手段と、
前記画像処理手段により作成された合成画像データを前記モバイル端末に転送する転送手段と、を備えることを特徴とする印刷装置。
【請求項１５】
プレプリント紙を収容する複数の給紙手段を備える印刷装置と通信するモバイル端末の制御方法であって、
撮影手段により撮影される前記給紙手段に収容するプレプリント紙の画像データと、印刷すべき印刷ジョブとを記憶手段に記憶する記憶工程と、
前記プレプリント紙に対する用紙設定を表示画面により受け付ける受付工程と、
前記記憶手段に記憶されたプレプリント紙の画像データ及び当該プレプリント紙に対する用紙設定と、前記印刷ジョブとを前記印刷装置に送信する送信工程と、
前記印刷装置からプレプリント紙の画像データと、前記印刷ジョブから作成される印刷データとから合成した合成画像データを受信する受信工程と、
前記印刷装置から受信した合成画像データを前記表示画面に表示する表示制御工程と、を備えることを特徴とするモバイル端末の制御方法。
【請求項１６】
プリント紙を収容する給紙手段を複数備える印刷装置の制御方法であって、
モバイル端末から受信する印刷ジョブに基づいて印刷すべき印刷データを生成する生成工程と、
前記生成工程により生成された印刷データと前記前記モバイル端末から送信されるプレプリント紙の画像データとを合成して合成画像データを作成する画像処理工程と、
前記画像処理工程により作成された合成画像データを前記モバイル端末に転送する転送工程と、を備えることを特徴とする印刷装置の制御方法。
【請求項１７】
請求項１５に記載のモバイル端末の制御方法をコンピュータに実行させることを特徴とするプログラム。
【請求項１８】
請求項１６に記載の印刷装置の制御方法をコンピュータに実行させることを特徴とするプログラム。
【発明の詳細な説明】
【技術分野】
【０００１】
本発明は、印刷システム、モバイル端末、印刷装置、モバイル端末の制御方法、印刷装置の制御方法及びプログラムに関するものである。
【背景技術】
【０００２】
複合機の性能が向上し、機能が高まるにつれ、オンデマンド印刷に求められる要望は益々増えている。これに伴い、複合機が扱うことのできる用紙種の増加が強く求められている。強く要望される用紙種の１つとして、プレプリント紙が挙げられる。プレプリント紙とは、あらかじめ何らかの印刷が施されている用紙である。この用紙を使った印刷を行う場合、ユーザはプレプリント紙を給紙装置にセットし、セットした給紙装置の用紙種をプレプリント紙として登録する。そして、印刷ジョブを投入する端末装置にて、プレプリント紙を印刷用紙種として指定し、印刷ジョブを印刷装置に投入することで、プレプリント紙に対して印刷を行う事が出来る。プレプリント紙に関する機能として、プレプリント紙に対して印刷される画像を合成してプレビューする機能がある。（特許文献１参照）。これはまず、プレプリント紙に描かれる画像をスキャナで読み取り、読み取った画像(以降、プレプリント画像と呼ぶ)を印刷装置に用紙種として登録しておく。そして、印刷時にその用紙種が選択された場合に、選択された用紙種に紐づいたプレプリント画像に印刷ジョブの画像を重畳させて成果物プレビュー画像を生成するというものである。この機能により、ユーザは印刷前にプレプリント紙に印刷される画像を確認することが出来る。
【先行技術文献】
【特許文献】
【０００３】
【特許文献１】特開２００６−２３９９２９号公報
【発明の概要】
【発明が解決しようとする課題】
【０００４】
従来行われていたプレプリント紙のプレビュー合成表示機能は、合成処理で使われるプレプリント画像が、どの給紙装置にどの方向でセットされたときのものかが考慮されていない。例えばあるユーザが、既にプレプリント画像が登録済みのプレプリント紙を使う印刷ジョブを投入する場合を考える。このとき、表示されるプレビュー画像がユーザの期待するものであっても、そのプレビュー画像通りの成果物を得るために、プレプリント用紙をどの給紙装置にどの方向でセットすれば良いのか分からないという課題がある。また、従来行われていたプレプリント紙の登録作業にはスキャナが使われていたが、スキャナへのプレプリント紙セット方向と、実際に給紙装置にセットするプレプリント紙の用紙セット向きの関係性は考慮されていない。ただし、これらの関係性がユーザに示されたとしても、スキャナはその読取方式によって、読取面を地面側にしてセットしたり、読み取った後の用紙が天地逆になったりするという制約がある。このため、読み取り後のプレプリント紙を、その後、どの給紙装置にどの向きでセットすれば良いのかを直感的に把握することが困難であった。
【０００５】
本発明は、上記の課題を解決するためになされたもので、本発明の目的は、印刷装置が備える特定の給紙手段から給紙するプレプリント紙に印刷される印刷結果をモバイル端末で確認できる仕組みを提供することである。
【課題を解決するための手段】
【０００６】
上記目的を達成する本発明の印刷システムは以下に示す構成を備える。
モバイル端末と、プレプリント紙を収容する複数の給紙手段を備える印刷装置とが通信する印刷システムであって、前記モバイル端末は、撮影手段と、前記撮影手段により撮影される前記給紙手段に収容するプレプリント紙の画像データと、印刷すべき印刷ジョブとを記憶する記憶手段と、前記プレプリント紙に対する用紙設定を前記表示画面により受け付ける受付手段と、前記記憶手段に記憶されたプレプリント紙の画像データ及び当該プレプリント紙に対する用紙設定と、前記印刷ジョブとを前記印刷装置に送信する送信手段と、前記印刷装置からプレプリント紙の画像データと、前記印刷ジョブから作成される印刷データとから合成した合成画像データを受信する受信手段と、前記印刷装置から受信した合成画像データを前記表示画面に表示する表示制御手段と、を備え、前記印刷装置は、前記モバイル端末から受信する印刷ジョブに基づいて印刷すべき印刷データを生成する生成手段と、前記生成手段により生成された印刷データと前記前記モバイル端末から送信されるプレプリント紙の画像データとを合成して合成画像データを作成する画像処理手段と、前記画像処理手段により作成された合成画像データを前記モバイル端末に転送する転送手段と、を備えることを特徴とする。
【発明の効果】
【０００７】
本発明によれば、印刷装置が備える特定の給紙手段から給紙するプレプリント紙に印刷される印刷結果をモバイル端末で確認できる。
できる。
【図面の簡単な説明】
【０００８】
【図１】印刷システムの一例を示すブロック図である。
【図２】印刷装置の断面図である。
【図３】印刷システムのモジュール構成を説明する図である。
【図４Ａ】印刷システムの制御方法を説明するフローチャートである。
【図４Ｂ】印刷システムの制御方法を説明するフローチャートである。
【図４Ｃ】印刷システムの制御方法を説明するフローチャートである。
【図５】印刷システムの動作を説明する図である。
【図６】印刷システムの制御方法を説明するフローチャートである。
【図７】印刷システムの動作を説明する図である。
【図８】印刷システムの制御方法を説明するフローチャートである。
【図９】セットされるプレプリント紙のセット向きと画像との関係を示す図である。
【図１０】印刷システムの制御方法を説明するフローチャートである。
【図１１】印刷システムの動作を説明する図である。
【図１２】印刷システムの制御方法を説明するフローチャートである。
【図１３】印刷システムの動作を説明する図である。
【図１４】印刷システムの動作を説明する図である。
【発明を実施するための形態】
【０００９】
次に本発明を実施するための最良の形態について図面を参照して説明する。
＜システム構成の説明＞
〔第１実施形態〕
【００１０】
図１は、本実施例に係る印刷システムの一例を示すブロック図である。本例では印刷システムは、モバイル端末（携帯端末）として印刷装置１１１と通信するスマートモバイルデバイス（スマートモバイル）１０１と、印刷装置１１１とから構成される。また、スマートモバイル１０１と、印刷装置１１１は、それぞれ通信回線１２１によって互いに接続されている。
なお、当然のことながらスマートモバイルは複数台接続されていてもよく、多数のユーザが各自所有のスマートモバイルを使用しても良い。また、スマートモバイル１０１はスマートモバイル端末（ＰＡＤＰＣ、スマートフォン等を含む）を想定しているが、後述の１０２〜１０９を備えていれば、前記モバイル端末は、ＰＣ等の一般的な情報処理装置であっても構わない。以下、スマートモバイル１０１の構成について説明する。
【００１１】
図１において、スマートモバイル１０１は、不図示の入力装置によるユーザからの入力情報を取得し、印刷装置１１１に送信する印刷ジョブを生成し、通信回線１２１を介して印刷装置１１１へ送信する。また、印刷装置１１１から送られる印刷プレビュー画像を受け付けて表示し、さらに、ユーザからの印刷パラメータ設定を受け付けて印刷装置１１１に印刷ジョブを送信する。Ｉ／Ｏ制御部１０６は、外部ネットワークとの通信制御を行う。ＲＯＭ１０２は各種制御プログラムを記憶する。ＲＡＭ１０３は、ＲＯＭ１０２に記憶されている制御プログラムを読み出して記憶する。
ＣＰＵ１０４は、ＲＡＭ１０３に記憶された制御プログラムを実行し、画像信号や各種デバイスを統括的に制御する。ＨＤＤ１０５は、画像データやプリントデータなどの大容量データを一時的あるいは長期的に保持する目的で使用される。タッチパネル１０８は印刷ジョブに関する各種パラメータの入力、および、印刷関連情報を表示する目的で使用される。加速度センサ１０９は、プレプリント紙の用紙セット方向に関するユーザからの入力を受け付ける目的で使用される。撮影デバイス１１０は、プレプリント紙を撮影する目的で使用される。各モジュールはそれぞれシステムバス１０７を介して互いに接続されている。
【００１２】
次に印刷装置１１１の構成について説明する。印刷装置１１１は、スマートモバイル１０１から送られる印刷ジョブを受け付けて印刷処理を実行する。また、スマートモバイル１０１から印刷パラメータ設定、および、プレプリント紙の画像を受け付けて、前記パラメータに基づく印刷ジョブに基づく画像とプレプリント紙の画像の合成画像を作成する。さらに作成した合成画像データをスマートモバイル１０１に送信する。コントローラボックス１２１は、各種データ処理を行い、印刷装置１１１の動作を制御する。操作パネル１１８は、タッチパネルなどのＵＩを通じユーザからの各種操作を受け付ける。給紙装置部１１９は、複数のカセットを備える給紙段である。各カセットには印刷用紙あるいはプレプリント紙を収容しておくことが可能であり、印刷の際にはプリンタエンジン１２０へと搬送する。なお、用紙の搬送向きは、定形サイズ用紙に対して短手方向あるいは長手方向のいずれかから用紙を給紙できるように構成されている。また、ここで、各カセットに対しては、あらかじめ操作パネル１１８より用紙サイズ、用紙向き等が設定され、後述するＤＢを作成する際に参照される。
【００１３】
プリンタエンジン１２０は、イメージデータを印刷用紙に印字し出力する。次にコントローラボックス１２１の構成について説明する。Ｉ／Ｏ制御部１１２は、外部ネットワークとの通信制御を行う。ＲＯＭ１１３は、各種制御プログラムを記憶する。ＲＡＭ１１４は、ＲＯＭ１１３に記憶されている制御プログラムを読み出して記憶する。ＣＰＵ１１５は、ＲＡＭ１１４に記憶された制御プログラムを実行し、画像信号や各種デバイスを統括的に制御する。ＨＤＤ１１６は、画像データやプリントデータなどの大容量データを一時的あるいは長期的に保持する目的で使用される。各モジュールはそれぞれシステムバス１１７を介して互いに接続されている。さらに、システムバス１１７は、コントローラボックス２００と印刷装置１１１内の各デバイスとを互いに接続している。なお、ＲＡＭ１１４はＣＰＵ１１５の主メモリ、ワークメモリとしても機能する。また、制御プログラムおよびオペレーションシステムはＲＯＭ１１３の他にもＨＤＤ１１６にも格納される。
【００１４】
図２は、本実施形態を示す印刷装置の構成を説明する断面図である。本例は、印刷装置を印刷機能を備えるＭＦＰで構成した例である。本実施形態に示す印刷装置は、プレプリント紙を含む種々の用紙を収容可能に構成されている。また、用紙の給紙方向は、用紙に対して長手方向として給紙する給紙手段と、用紙に対して短手方向として給紙する給紙手段とを備えている。なお、本実施形態に示す印刷装置は、画像形成に関わるドラム面と用紙面との関係は、カセットから給紙されるプレプリント紙の印刷されない面が上面となる状態で収容されている場合を説明する。
図２において、リーダ部２００における原稿給紙ユニット２５０は、原稿台にセットされた原稿を１枚ずつ給紙し、光学ユニットまで搬送する。光学ユニット２１３まで搬送された原稿は排紙トレイ２１９に排紙される。原稿が光学ユニット２１３の上まで搬送されると、リーダ部２００は、ランプ２１２０を点灯し、光学ユニット２１３０によって原稿に光を当てる。この時、原稿からの反射光は、ミラー２１４０、２１５、２１６及びレンズ２１７０によってＣＣＤイメージセンサ（以下ＣＣＤという）２１８へ導かれる。そして、原稿の画像はＣＣＤ２１８０によって読み取られる。ＣＣＤ２１８０から出力される画像データは、所定の処理が施された後、制御装置へ転送される。
【００１５】
また、リーダ部２００は、原稿給紙ユニット２５０とプラテンガラス２１１０の間に置かれた原稿の画像を読み取る。その場合、リーダ部２００は、ランプ２１２０を点灯し、光学ユニット２１３０を移動させる。この時の原稿からの反射光は、ミラー２１４０、２１５、２１６及びレンズ２１７０によってＣＣＤイメージセンサ（以下ＣＣＤという）２１８へ導かれる。そして、原稿の画像はＣＣＤ２１８０によって読み取られる。ＣＣＤ２１８０から出力される画像データは、所定の処理が施された後、制御装置１１０へ転送される。
【００１６】
プリンタ部３００において、レーザドライバ３２１はレーザ発光部３２２を駆動するものであり、制御装置１１０の画像メモリ１３０から出力された画像データに応じたレーザ光をレーザ発光部３２２に発光させる。このレーザ光は感光ドラム３２３に照射され、感光ドラム３２３にはレーザ光に応じた潜像が形成される。この感光ドラム３２３の潜像の部分には現像器３２４によって現像剤が付着される。
また、プリンタ部３００は、給紙ユニットとして、引き出し状の形状のカセット３１１〜３１４、及び手差しトレイ３１５を有している。
なお、本実施形態では、プレプリント紙を収容するカセットを以下に示すように複数備える。カセット３１１〜３１４は、それぞれにシートがセットされているか否かを検知するためのセンサを備える。また、手差しトレイ３１５は、手差しトレイ３１５にシートがセットされているか否かを検知するためのセンサを備える。
プリンタ部３００は、カセット３１１〜３１４、及び手差しトレイ３１５のいずれかからシートを給紙し、転写部３２５へ搬送路３３１を通して搬送する。転写部３２５は、感光ドラム３２３に付着された現像剤をシートに転写する。
【００１７】
現像剤が転写されたシートは搬送ベルト３２６によって、定着部３２７に搬送される。定着部３２７は、熱と圧力により現像剤をシートに定着する。その後、定着部３２７を通過したシートは、搬送路３３５、搬送路３３４を通り排出される。シートの印字面を反転して排出する場合、シートは、搬送路３３６を通して搬送路３３８まで導かれる。そこからシートは、逆方向に搬送され、搬送路３３７、搬送路３３４を通して搬送可能である。
【００１８】
また、両面印刷が設定されている場合、シートは、定着部３２７を通過したあと、搬送路３３６を通って、フラッパ３２９によって搬送路３３３に導かれる。その後、シートは逆方向に搬送され、フラッパ３２９によって、搬送路３３８に導かれた後、再給紙搬送路３３２に導かれる。再給紙搬送路３３２に導かれたシートは、上述したタイミングで搬送路３３１を通り、転写部３２５まで搬送され、転写部３２５によってシートの第２面に現像剤が転写される。そして、シートは、定着部３２７を通して搬送路３３４に導かれる。
片面印刷であるか、両面印刷であるかにかかわらず、搬送路３３４を通して搬送されたシートはフィニッシャ部５００へ搬送される。
【００１９】
搬送されたシートは、まずバッファユニット５０１に送られる。ここでは、場合に応じて搬送されてきたシートを、バッファローラに巻きつけてバッファリングする。例えば、この下流で行われるステイプル等処理に時間がかかる場合は、このバッファユニットを利用することによって本体から搬送されてくるシートの搬送間隔を調整することができる。
そして、シートは、この後、上流排出ローラ対５０２、下流排出ローラ対５０３によって搬送路５０４を経由し、スタックトレイ５０５に積まれる。スタックトレイ５０５に１部数のシート束が積載されたら、積載されたシート束は排紙トレイ５０７に排出される。
シフトするよう指定されている場合、スタックトレイ５０５に積載されたシートの束を、直前に排紙したシートの束に対してずらし、排紙トレイ５０７に排出することによって部の切れ目が、ユーザにとってわかりやすくなる。
【００２０】
ステイプルするよう指定されている場合、上流排出ローラ対５０２で搬送され、下流排出ローラ対５０３によって搬送路５０４を経由して、スタックトレイ５０５に積まれたシート束に対してステイプルユニット５０６によってステイプル処理が行われる。綴じられたシート束は、下流排出ローラ対５０３により排紙トレイ５０７に排出される。
【００２１】
図３は、図１に示したスマートモバイル１０１の構成を説明するブロック図である。
図３において、印刷ジョブ生成部２０６は、不図示の入力装置によるユーザからの入力情報を取得し、印刷装置１１１に送信する印刷ジョブを生成する。表示処理部２０２は、印刷ジョブ生成部２０６で生成される印刷ジョブ、印刷装置１１１から受け付けるプレビュー画像、および、印刷設定項目の表示を行う。
入力処理部２０３は、ユーザがタッチパネル１０８を操作することによる入力処理を受け付ける。撮影部２０５は、撮影デバイス１１０で撮影される画像を取得する目的で使用される。加速度検知部２０８は、加速度センサ１０９から入力される重力加速度の変化を検知する目的で使用される。画像解析部２１８は撮影部２０５で撮影された画像からプレプリント紙の領域を抽出する目的でも使用される。メモリ部２０４は、入力処理部２０３で受け付けた印刷設定項目、撮影部２０５で撮影された画像、画像解析部２１８で抽出されたプレプリント紙の領域画像、加速度検知部２０８で検知した重力加速度の変化を記憶する。制御処理部２０９は、前記プログラムに基づきこれら２０２から２０８および２１８の機能を制御する。
【００２２】
印刷装置１１１において、印刷ジョブ解析部２１１は、スマートモバイル１０１から送信された印刷ジョブなど、印刷装置１１１で受け付けた各種印刷ジョブを解析し、印刷ジョブに含まれる印刷設定情報を読み出す。ここで言う印刷設定情報とは、主に印刷に使用される用紙サイズ、印刷ジョブ拡大率、用紙種、用紙種の１つであるプレプリント紙の用紙セット方向、給紙段、フィニッシング設定、などに関する情報を指す。印刷ジョブ解析部２１１によって読み出された印刷設定はＲＡＭ１１４やＨＤＤ１１６などの記憶装置に一旦保存される。入力処理部２１５は、オペレータが操作パネルを操作することによる各種入力を受け付ける。表示処理部２１６は、印刷状況を表示する。
【００２３】
プレビュー画像合成部２１３は、プレプリント紙セット方向に基づいて、印刷ジョブ画像とプレプリント画像を合成する。メモリ部２１７は、プレプリント紙の用紙セット向き、印刷ジョブ画像、プレプリント画像、および、プレビュー画像合成部２１３で合成されたプレビュー画像を記憶する。通信部２１２は、スマートモバイル１０１から送信される印刷ジョブ、印刷設定に関わる情報を受け付ける。また、プレビュー画像合成部２１３で生成されるプレビュー画像をスマートモバイル１０１に送信する。制御処理部２１４は、前記プログラムに基づきこれら２１１から２１７の機能を制御する。
まず１つ目の例として、印刷ジョブがＡ４サイズ１ページ分のデータで作成されており、これをプレプリント紙ではない、Ａ４サイズの普通紙で印刷する場合について説明する。
＜スマートモバイルによる第１の用紙セット方向決定処理＞
【００２４】
図４Ａ、図４Ｂ、図４Ｃは、本実施形態を示す印刷システムの制御方法を説明するフローチャートである。なお、図４Ａは、情報処理装置側のデータ処理に対応し、図４Ｂは、図４ＡのＳ６０４のプレプリント紙撮影処理の詳細ステップに対応する。以下、スマートモバイル１０１による第１の用紙セット方向決定処理について説明する。さらに、本フローチャートは、ＲＯＭ１０２に格納されたプログラムをＣＰＵ１０４がＲＡＭ１０３に読み出して実行することによって実現される。本フローを説明するにあたり、図４Ａおよび図５に示すＵＩ画面を用いる。
図５は、図１に示したスマートモバイル１０１のタッチパネル１０８に表示されるＵＩ画面を示す図である。なお、図５の（Ａ）はプレプリント紙を使用する用紙設定を受け付けるための受付画面である。同図の（Ｂ）は、同図の（Ａ）に示す画面でプレプリント紙の使用の可否に応じて表示されるプレプリント紙撮影モード画面に対応する。また、同図の（Ｃ）は、同図の（Ｂ）に示すＵＩ画面に対応する。さらに、同図の（Ｄ）はプレプリント紙の要請セットモード画面に対応する。
同図の（Ａ）において、９０１はタッチパネル１０８で表示される印刷ジョブ投入画面（プレプリント紙（賞状用））を示している。本画面を表示するための情報は、メモリ部２０４に格納されており、制御処理部２０９からの指示により表示処理部２０２がタッチパネル１０８に表示する。
【００２５】
９０２は印刷ジョブで印刷されるオブジェクトの印刷内容を示している。ユーザは不図示の入力装置から受信した印刷ジョブ、もしくは、メモリ部２０４に格納される印刷ジョブを呼び出すことで、印刷内容９０２をタッチパネル１０８に表示することが出来る。
９０３は印刷開始ボタンで、印刷内容９０２に対応する印刷ジョブを印刷装置１１１に指示して印刷実行させるボタンとして機能する。
図４Ａに示すＳ６０１にて、ユーザがタッチパネル１０８に表示された印刷開始ボタン９０３を押下すると、制御処理部２０９は、次のように制御する。制御処理部２０９は、表示処理部２０２に指示し、図５の（Ａ）に示すプレプリント紙の使用の可否を選択する選択画面９０４をタッチパネル１０８に表示させる。その後、選択画面９０４において、ユーザがＮＯボタン９１３を押下すると、制御処理部２０９は、印刷ジョブはプレプリント紙を使用しない旨をメモリ部２０４に書き込み、Ｓ６０２に進む。
【００２６】
Ｓ６０２では、制御処理部２０９は、印刷内容９０２に対応する印刷情報をメモリ部２０４から読み出し、印刷ジョブ生成部２０６に指示して印刷ジョブを生成する。さらに、メモリ部２０４に指示し、印刷ジョブではプレプリント紙を使用しない旨を読み出し、通信部２０７に指示し、生成した印刷ジョブとプレプリント紙を使用しない旨を印刷装置１１１に送信する。その後、Ｓ６０３では、制御処理部２０９は、メモリ部２０４にアクセスし、印刷ジョブがプレプリント紙を使用するジョブであるかを判断する。ここで、印刷ジョブがプレプリント紙を使用しないジョブであると制御処理部２０９が判断した場合、処理を終了する。
＜印刷装置１１１による第１の用紙セット方向決定処理＞
【００２７】
図６は、本実施形態を示す印刷システムの制御方法を説明するフローチャートである。本例は、印刷装置１１１における第１の用紙セット方向決定処理例である。本フローチャートに示す各ステップは、ＲＯＭ１１３に格納されたプログラムをＣＰＵ１１５がＲＡＭ１１４に読み出して実行することによって実現される。
Ｓ３０１で、制御処理部２１４は、通信部２１２にアクセスしスマートモバイル１０１から印刷ジョブを受け付けたかを判断する。ここで、印刷ジョブを通信部２１２が印刷ジョブを受け付けた事を制御処理部２１４が確認した場合、スマートモバイル１０１から受け付けた印刷ジョブをメモリ部２１７に記憶する。
【００２８】
その後、Ｓ３０２では、制御処理部２１４は、メモリ部２１７から印刷ジョブを取り出し、印刷ジョブ解析部２１１に指示して印刷ジョブの解析を行う。このとき、印刷に使用する情報として、当該印刷ジョブがプレプリント紙を使用するか否かという情報を抽出し、メモリ部２１７に記憶する。その後、処理をＳ３０３に進め、制御処理部２１４はメモリ部２１７にアクセスし、投入された印刷ジョブがプレプリント紙を使用するか否かを判断する。ここで、投入された印刷ジョブがプレプリント紙を使用しない印刷ジョブであると制御処理部２１４が判断した場合、処理をＳ３０５に進める。
Ｓ３０５では、制御処理部２１４は、メモリ部２１７から印刷ジョブを取り出し、プリンタエンジン１２０に対して印刷指示して、本処理を終了する。なお、Ｓ３０４に対応する処理は、後述する。
次に２つ目の例として、印刷ジョブがＡ４サイズ１ページ分のデータで作成されており、これをＡ４サイズのプレプリント紙を用いて等倍処理で印刷する場合について説明する。
＜スマートモバイルによる第２の用紙セット方向決定処理＞
【００２９】
はじめにスマートモバイルにおける、第２の用紙セット方向決定処理について図４Ａに示すフローチャートを参照して説明する。
Ｓ６０１にて、ユーザが図５の（Ａ）に示した印刷開始ボタン９０３を押下すると、制御処理部２０９は、表示処理部２０２に指示し、プレプリント紙を使用するかどうかの可否を指示するための選択画面９０４をタッチパネル１０８に表示する。
【００３０】
その後、ユーザが選択画面９０４において、ＹＥＳボタン９０５を押下したことを制御処理部２０９が確認した場合、制御処理部２０９は、印刷ジョブはプレプリント紙を使用する旨をメモリ部２０４に書き込み、処理をＳ６０２に進める。
Ｓ６０２では、制御処理部２０９は、印刷内容９０２に対応する印刷情報をメモリ部２０４から読み出し、印刷ジョブ生成部２０６に指示して印刷ジョブを生成する。さらに、メモリ部２０４に指示し、印刷ジョブでプレプリント紙を使用する旨を読み出し、通信部２０７に指示し、生成した印刷ジョブとプレプリント紙を使用する旨を印刷装置１１１に送信する。その後、Ｓ６０３では、制御処理部２０９は、メモリ部２０４にアクセスし、印刷ジョブがプレプリント紙を使用するジョブであるかを判断する。ここで、印刷ジョブがプレプリント紙を使用するジョブであると制御処理部２０９が判断した場合、処理をＳ６０４に進める。
【００３１】
以下、図４Ｂに示すフローチャートを参照して、図４Ａに示すＳ６０４の詳細について説明する。
図４Ｂに示すＳ６０５では、制御処理部２０９は、表示処理部２０２に指示し、図５の（Ｂ）に示すプレプリント紙撮影モード画面９０６をタッチパネル１０８に表示する。さらに、制御処理部２０９は、撮影部２０５に指示し、撮影デバイス１１０の機能を起動させ、撮影デバイス１１０から入力される映像信号をタッチパネル１０８に表示する。これにより、撮影デバイス１１０を通してプレプリント紙の用紙映像がタッチパネル１０８のエリア９０７に表示されていることを示している。この後、制御処理部２０９は、処理をＳ６０６に進める。プレプリント紙撮影モード画面９０６にてユーザがガイド表示ボタン９０８を押下すると、制御処理部２０９は、ガイド表示フラグＯＮをメモリ部に記憶しておく。
【００３２】
Ｓ６０６では、制御処理部２０９は、メモリ部２０４にアクセスし、ガイド表示フラグがＯＮであるかを判断する。ここで、ガイド表示フラグがＯＮであると制御処理部２０９が判断した場合、制御処理部２０９は、処理をＳ６０７に進める。Ｓ６０７では、制御処理部２０９は、表示処理部２０２に指示して撮影ガイド（図５の（Ｃ）に破線で示す矩形エリア）９１１をタッチパネル１０８に表示する。その後、制御処理部２０９は、処理をＳ６０８に進める。そして、図５の（Ｃ）に示すプレプリント紙撮影モード画面９１０にて、ユーザがガイド消去ボタン９１２を押下すると、制御処理部２０９は、メモリ部２０４にアクセスし、ガイド表示フラグＯＦＦを記憶する。
【００３３】
そして、Ｓ６０８では、制御処理部２０９は、メモリ部２０４にアクセスし、ガイド表示フラグがＯＦＦ状態で記憶されているかを判断する。ここで、ガイド表示フラグがＯＦＦ状態で記憶されていると制御処理部２０９が判断した場合、制御処理部２０９は処理をＳ６０９に進める。
Ｓ６０９では、制御処理部２０９は、表示処理部２０２に指示して撮影ガイド９１１をタッチパネル１０８から消去する。その後、制御処理部２０９は、処理をＳ６１０に進める。Ｓ６１０では、制御処理部２０９は、メモリ部２０４にアクセスし、撮影ボタン９０９が押下されたかを判断する。ここで、ユーザにより撮影ボタン９０９が押下されていないと制御処理部２０９が判断した場合、処理をＳ６０６に進める。
今、図５の（Ｂ）に示すプレプリント紙撮影モード画面９０６にてユーザがガイド表示ボタン９０８を押下する。そして、図５の（Ｃ）に示すプレプリント紙撮影モード画面９１０にてユーザがガイド消去ボタン９１２を押すことなく、撮影ボタン９０９を押下したと判断した場合、処理はＳ６０６、Ｓ６０７，Ｓ６０８，Ｓ６１０と進む。なお、これらの処理の詳細は後述する。ここで撮影ガイド９１１の機能について説明する。
【００３４】
撮影ガイド９１１は、プレプリント紙の用紙サイズを撮影処理と同時に指定するために利用する。例えば、プレプリント紙の用紙サイズをＡ４で指定したい場合、ユーザはプレプリント紙が撮影ガイド９１１の点線枠に当てはまるようにスマートモバイル１０１とプレプリント紙の撮影距離を調節して撮影ボタン９０９を押下する。この状態で、図５の（Ｃ）に示す撮影ボタン９０９がユーザにより押下されると、制御処理部２０９は、処理をＳ６１１に進める。
Ｓ６１１では、制御処理部２０９は、撮影部２０５に指示し、撮影処理を行わせ、撮影したプレプリント紙の画像データをメモリ部２０４に格納する。その後、制御処理部２０９は、処理をＳ６１２に進める。Ｓ６１２では、制御処理部２０９は、メモリ部２０４にアクセスし、撮影した画像データ（プレプリントシートに対応する画像データ）を取得する。その後、画像解析部２１８に指示して撮影した当該画像データからプレプリント画像領域を抽出する。そして、制御処理部２０９は、抽出した画像データをメモリ部２０４に格納して処理をＳ６１３に進める。
Ｓ６１３では、制御処理部２０９は、メモリ部２０４にアクセスし、Ｓ６１１での撮影時に撮影ガイド９１１が表示されていたかを判断する。Ｓ６１１での撮影時に撮影ガイド９１１の表示がなされていたと判断した場合、制御処理部２０９は、処理をＳ６１４に進める。Ｓ６１４では、制御処理部２０９は、メモリ部２０４にアクセスしてプレプリント画像データを取り出す。
【００３５】
そして、制御処理部２０９は、画像解析部２１８に指示し、プレプリント画像のサイズを確定する。今回、プレプリント紙は、撮影ガイド９１１に沿って撮影されたので、プレプリント紙は「Ａ４」サイズと判断される。制御処理部２０９は、確定したプレプリント紙のサイズ情報を、メモリ部２０４に記憶する。その後、制御処理部２０９は、処理をＳ６１５に進める。以下、図４ＡのＳ６１５以降に示すプレプリント紙の用紙セットパラメータ確定処理の詳細説明を図４Ｃに示すフローチャートを参照して行う。
【００３６】
図４Ｂに示すＳ６１６では、スマートモバイル１０１の制御処理部２０９は、表示処理部２０２に指示し、図５の（Ｄ）に示す用紙セットモード画面９１４をタッチパネル１０８に表示する。その後、制御処理部２０９は、処理をＳ６１７に進める。ここで、図５の（Ｄ）に示す用紙セットモード画面９１４について説明する。
用紙セットモード画面９１４において、９１５は、画像解析部２１８によって切り出されたプレプリント画像を示す。９１６、９１７は、プレプリント画像９１５で表示されるプレプリント紙を給紙装置部１１９のいずれかのカセットに対してどの向きでセットするかを決定するための指標である。プレプリント画像９１５の天は、機器奥側を向いており、プレプリント紙は天井側に向いていることを示している。
【００３７】
９１８は用紙サイズボタンで、プレプリント紙の用紙サイズ（本例は、Ａ４、Ａ３、ＬＴＲ、１１×１７）を指定するために使用される。９２３はプレプリント紙を給紙する給紙装置を指定するためのボタンを示している。
用紙セットモード画面９１４で、ユーザが給紙装置ボタン９２３を押下すると、制御処理部２０９は、処理をＳ６１８に進める。Ｓ６１８では、制御処理部２０９は、表示処理部２０２に指示し、給紙装置を選択するためのポップアップ９２４をタッチパネル１０８に表示する。
ユーザが給紙装置番号「１」のボタン９２５を押下すると、制御処理部２０９は、押下された給紙装置番号「１」をメモリ部２０４に記憶する。その後、制御処理部２０９は、処理をＳ６１９に進める。さらに、ユーザが用紙サイズボタン９１８を押下すると、制御処理部２０９は、処理をＳ６２０に進める。
【００３８】
Ｓ６２０では、制御処理部２０９は、表示処理部２０２に指示し、用紙サイズを選択するポップアップ９１９をタッチパネル１０８に表示する。当該ポップアップ９１９よりユーザが用紙サイズ「Ａ４」のボタン９２８を押下すると、制御処理部２０９は、押下された用紙サイズ「Ａ４」をメモリ部２０４に記憶する。ここで、図４Ｂに示したＳ６１４にて用紙サイズ情報がメモリ部２０４に記憶されていた場合、Ｓ６２０で指定された用紙サイズ情報がメモリ部２０４に上書きされる。制御処理部２０９は、用紙サイズ情報をメモリ部２０４に記憶した後、処理をＳ６２１に進める。
【００３９】
ここで、スマートモバイル１０１を操作してプレプリント紙の用紙セット向きの指定方法について説明する。
ユーザは、タッチパネル１０８に表示されるプレプリント画像９１５を指先で操作することで用紙セット方向を指示する。例えば、ユーザが人差し指と親指をそれぞれタッチパネル１０８上の矢印９２６、および、矢印９２７に当て、矢印の方向にスライドさせると、図７の（Ａ）に示す矢印１００２に示す方向にプレプリント画像が回転する。これはプレプリント紙を給紙装置部１１９のいずれかのカセットに対してＬＥＦ（ＬｏｎｇＥｄｇｅＦｅｅｄ）の方向で、かつ、天井側に向けてセットすることを示している。本例では用紙のセット向きを、ＬＥＦ／ＳＥＦで表現する。なお、図７は、タッチパネル１０８に表示される合成画像データの表示制御に対応づけた画面表示例である。
【００４０】
ここで、ＬＥＦとはＬｏｎｇＥｄｇｅＦｅｅｄの略であり、用紙搬送方向に対して長辺が垂直に位置する状態で用紙をセットすることを示す。また、ＳＥＦとはＳｈｏｒｔＥｄｇｅＦｅｅｄの略であり、用紙搬送方向に対して短辺が垂直に位置する状態で用紙をセットすることを示す。さらに、プレプリント紙の印字面の向きを天井側／地面側で表現する。ユーザがタッチパネル１０８を操作して、図７の（Ａ）に示すプレプリント画像１００１を矢印１００２、および、矢印１００３の方向にスライドさせると、プレプリント画像１００４がさらに右に９０°回転する。
【００４１】
この後、ユーザがさらに、タッチパネル１０８を操作して、プレプリント画像１００１の方向にスライドすると、タッチパネル１０８上でプレプリント画像が表裏でひっくり返った画像に切り替わる。図７の（Ｂ）に示すプレプリント画像１００５は、図５の（Ｄ）に示したプレプリント画像９１５を、右に９０°回転させ、さらに機器手前から機器奥の方向に用紙をひっくり返したときの画像を示している。このように、ユーザによるスマートモバイル１０１の画面操作により、印刷装置１１１の給紙装置部１１９のいずれかのカセットに対するプレプリント紙の用紙セット向きを直感的に指示することが出来る。
【００４２】
ユーザがプレプリント画像９１５をタッチパネル１０８の操作により、図７の（Ｂ）に示すようにプレプリント画像１００５の状態に変更すると、制御処理部２０９は、次のように制御する。制御処理部２０９は、表示処理部２０２に指示し、プレプリント紙の給紙装置部１１９のいずれかのカセットに対する向き情報を読み出し、メモリ部２０４に記憶する。本例の場合、プレプリント紙の給紙装置部１１９のうち、選択されたカセットに対する向きは「ＳＥＦ」であり、プレプリント紙の印字面は地面側を向いていることがメモリ部２０４に記憶される。
その後、制御処理部２０９は、処理を図４Ｃに示すＳ６２２に進める。ユーザがタッチパネル１０８を操作して、図５の（Ｅ）に示す確定ボタン９２０を押下すると、制御処理部２０９は、処理をＳ６２３に進める。Ｓ６２３では、制御処理部２０９は、メモリ部２０４から用紙セット向き、プレプリント画像、給紙装置番号、用紙サイズを読み出し、通信部２０７に指示してこれらの情報を印刷装置１１１に送信する。
【００４３】
その後、制御処理部２０９は、処理を図４Ａに示すＳ６２４に進める。この後、印刷装置１１１側で用紙セット向きに基づいてプレプリント画像と印刷ジョブの画像が合成されるが詳細は後述する。
Ｓ６２４では、制御処理部２０９は、メモリ部２０４にアクセスし、印刷装置１１１から送信された合成画像データを受信しているかどうかを判断する。ここで、合成画像データを受信していると制御処理部２０９が判断した場合、処理をＳ６２５に進める。Ｓ６２５では、制御処理部２０９は、メモリ部２０４から合成画像データを読み出し、表示処理部２０２に指示してタッチパネル１０８上に合成画像データ１００７を図７の（Ｃ）に示すように画面１００６に画像処理された合成画像として表示する。ここで、合成画像は、プレプリント紙に印刷ジョブから生成された印刷データを印刷した印刷結果に対応するプレビュー画像に対応する。
【００４４】
具体的には、合成画像データ１００７は印刷装置１１１側で生成されたプレプリント画像データと印刷ジョブの画像データとを合成した画像データに対応する。つまり、ユーザが先に指定したプレプリント紙のセット向きで印刷を行った場合、合成画像データ１００７に示すように印刷ジョブが成果物として印刷されることを示しいている。この成果物がユーザの期待通りである場合、図７の（Ｃ）に示すユーザは印刷開始ボタン１００８を押下する。
合成画像表示後、制御処理部２０９は、処理をＳ６２６に進める。Ｓ６２６では、制御処理部２０９は、メモリ部２０４にアクセスし、印刷装置１１１から印字位置、拡大率指定ＵＩ表示指示があるかをチェックする。尚、本ＵＩ表示指示は、投入した印刷ジョブの画像サイズとプレプリント紙の用紙サイズが異なる場合に、印刷装置１１１側から表示指示される。なお、本処理の詳細は後述する。
【００４５】
制御処理部２０９が、印刷装置１１１からの印字位置、拡大率指定ＵＩ表示指示が無いと判断した場合、処理を図４Ａに示すＳ６２７に進める。ここで、図７の（Ｃ）に示すユーザが印刷開始ボタン１００８を押下すると、制御処理部２０９は、処理をＳ６２８に進める。Ｓ６２８では、制御処理部２０９は、通信部２０７に指示して印刷装置１１１に対して印刷開始を命令して終了する。なお、この際、ユーザにより上記スマートモバイル１０１により表示されたプレプリント画像に従うようにプレプリント紙が選択した給紙装置部１１９のカセットに収容されているものとする。
＜印刷装置による第２の用紙セット方向決定処理＞
【００４６】
続いて印刷装置１１１における、第２の用紙セット方向決定処理について図６に示すフローチャートを用いて説明する。本フローチャートは、ＲＯＭ１１３に格納されたプログラムをＣＰＵ１１５がＲＡＭ１１４に読み出して実行することによって実現される。
Ｓ３０１で、制御処理部２１４は、メモリ部２１７にアクセスし印刷ジョブを受け付けたかを確認する。印刷ジョブを受け付けていると制御処理部２１４が判断した場合、処理がＳ３０１、Ｓ３０２、Ｓ３０３と進むが詳細は説明済みなので割愛する。Ｓ３０３で、投入された印刷ジョブがプレプリント紙を使用する印刷ジョブである場合、処理をＳ３０４に進める。
【００４７】
印刷装置１１１によるＳ３０４の詳細説明について図８に示すフローチャートを用いて説明する。
図８は、本実施形態を示す印刷システムの制御方法を説明するフローチャートである。なお、各ステップは、印刷装置１１１のＲＯＭ１１３に格納されたプログラムをＣＰＵ１１５がＲＡＭ１１４に読み出して実行することによって実現される。
Ｓ４０１で、印刷装置１１１の制御処理部２１４は、メモリ部２１７にアクセスし、スマートモバイル１０１からプレプリント紙の画像と印刷ジョブの画像との合成に必要な情報を受信しているかを判断する。合成に必要な情報とは、プレプリント画像、用紙セット向き、用紙サイズ、給紙装置番号である。
プレプリント紙と印刷ジョブの合成に必要な情報を受信していること制御処理部２１４が判断した場合、処理をＳ４０２に進める。Ｓ４０２では、制御処理部２１４は、プレビュー画像合成部２１３に指示し、プレプリント画像、用紙セット向き、用紙サイズ、給紙装置番号から、プレプリント紙の画像と印刷ジョブの画像とから合成した印刷結果に対応する画像を生成する。ここで合成画像の生成方法について図９を用いて説明する。ここで、印刷結果に対応する画像は、後述するようにタッチパネル１０８上でプレビューされる。
【００４８】
図９は、図１に示した印刷装置１１１が備える給紙装置１におけるプレプリント紙セット向きと印字向きの組み合わせのデータベースＤＢを示す図である。
図９に示す本データベースＤＢでは、給紙装置部１１９のいずれかの給紙カセットにプレプリント紙をどの向きでセットしたときに印刷ジョブがどのように印字されるのかを示したものである。なお、図９において、「Ｐ」で示される矩形画像はプレプリント紙に印字される画像を示している。
【００４９】
枠８０２で囲んだ部分は、機器奥側８０１に対して用紙をどの向きでセットするかを示している。例えばセット向き８０３は、プレプリント紙の印字面が天井側に向けられ、かつ、「ＬＥＦ」で給紙装置部１１９のいずれかのカセットにプレプリント紙がセットされることを示す。
また、セット向き８０４は、プレプリント紙の印字面が地面側に向けられ、かつ、「ＳＥＦ」で給紙装置にプレプリント紙がセットされることを示す。また、「Ｆ」で示される矩形画像は、印刷ジョブを示している。また、枠８０６で囲んだ部分は、印刷ジョブの画像サイズ、および、印刷ジョブ画像が縦長なのか横長なのかを示している。例えば、横長８０７は、印刷ジョブ画像がＡ４やＢ５等のＳｍａｌｌ系サイズであり、かつ、横長であることを示している。
【００５０】
また、縦長８０８は、印刷ジョブ画像が１１ｘ１７等のＬａｒｇｅ系サイズであり、かつ、縦長であることを示している。枠８０９で囲んだ部分は、プレプリント紙のセット向きに対して印刷される印刷ジョブの画像印字方向を示すものである。例えば、プレプリント紙がセット向き８０４に示す方向でセットされ、かつ、印刷ジョブが印字画像向きとサイズがＳｍａｌｌ系の横長８０７である場合を考える。
【００５１】
組み合わせ８１０の画像８１１に示すように、プレプリント紙が給紙時に天井側と地面側がひっくり返り、それに対して印刷ジョブＦの画像８１２の印刷が行われることを示している。制御処理部２１４は、メモリ部２１７にアクセスし、給紙装置番号からプレプリント紙セット向きと印字向きをデータベースＤＢから特定する。さらに、ＤＢで特定した給紙装置番号からプレプリント紙セット向きと印字向きから、スマートモバイル１０１で指定された用紙セット向き、用紙サイズを参照し、必要な合成ルールを組み合わせ８０９の中から特定する。
今回、スマートモバイル１０１から受信した印刷ジョブの給紙装置番号は「１」なので、図９に示すデータベースＤＢがプレビュー画像合成に使用される。また、印刷ジョブの画像はＡ４サイズで、かつ、横長なので、プレビュー画像の合成には印字画像向きとサイズの行８０７が参照される。さらに、スマートモバイル１０１から指定された用紙セット向きは、地面側でかつＳＥＦ方向にセットされるため、画像合成にはセット方向の欄８１０が使用される。制御処理部２１４は特定した合成ルールに基づき、プレビュー画像合成部２１３に画像合成を作成する。
【００５２】
今回、スマートモバイル１０１から送られたプレプリント画像は図５の（Ｂ）に示すエリア９０７のプレプリント画像に対応する。このとき、プレプリント画像は、ユーザの操作により右に１８０°、さらに機器奥側にひっくり返した状態、つまり図７の（Ｂ）に示すプレプリント画像１００５でセットするよう指定されている。
制御処理部２１４は、プレビュー画像合成部２１３に指示し、入力されたプレプリント画像１００５を図９に示すＤＢの画像８０４から画像８１１の方向にひっくり返し、その画像に印刷ジョブの画像８１２の方向で重畳させて合成画像を生成する。合成された画像は合成画像データ１００７に示すものとなる。制御処理部２１４は、このようにして合成画像データを生成した後、生成した合成画像データをメモリ部２１７に記憶して処理を図８に示すＳ４０３に進める。
【００５３】
図８に示すＳ４０３では、制御処理部２１４は、メモリ部２１７から合成画像データを取り出し、通信部２１２に指示してスマートモバイル１０１に合成画像データを送信する。その後、制御処理部２１４は、処理をＳ４０４に進める。Ｓ４０４では、制御処理部２１４は、メモリ部２１７にアクセスし、受け付けた印刷ジョブの画像サイズとプレプリント紙の用紙サイズが一致するかを判断する。ここで、一致すると制御処理部２１４が判断した場合、処理をＳ４０６に進める。
Ｓ４０６では、制御処理部２１４は、メモリ部２０４にアクセスし、印刷命令がスマートモバイル１０１からなされたかを判断する。スマートモバイル１０１から印刷命令がなされた場合、処理を図６に示すＳ３０５に進める。
図６に示すＳ３０５では、制御処理部２１４は、メモリ部２１７から印刷ジョブを取り出し、プリンタエンジン１２０に対して印刷指示して処理を終了する。
【００５４】
さらに３つ目の例として、印刷ジョブがＡ４サイズ１ページ分のデータで作成されており、これをＡ４サイズのプレプリント紙で印刷する場合で、合成画像がユーザの意図に沿わず、プレプリント紙のセット方向を再指定する処理について説明する。さらに、合成画像がユーザの意図に沿わず、プレプリント紙の再撮影を行う処理についても説明する。
＜スマートモバイルによる第３の用紙セット方向決定処理＞
【００５５】
はじめにスマートモバイルにおける、第３の用紙セット方向決定処理について説明する。本フローチャートは、ＲＯＭ１０２に格納されたプログラムをＣＰＵ１０４がＲＡＭ１０３に読み出して実行することによって実現される。
図４Ａに示すＳ６０１にて、スマートモバイル１０１を操作するユーザがタッチパネル１０８に表示される印刷開始ボタン９０３を押下すると、制御処理部２０９は、次のように制御する。制御処理部２０９は、表示処理部２０２に指示し、図５の（Ａ）に示す選択画面９０４をタッチパネル１０８に表示する。その後、ユーザがＹＥＳボタン９０５を押下すると、制御処理部２０９は、印刷ジョブにプレプリント紙を使用する旨をメモリ部２０４に書き込み、処理をＳ６０２に進める。以降、２つ目の例と同じ操作をユーザが行うと、処理が図４Ａ、図４Ｃｎｏ（Ａ）に対応するＳ６０２〜Ｓ６２１まで進むが詳細は説明済みなので割愛する。
ユーザがタッチパネル１０８を操作して、図７の（Ａ）に示す矢印１００２、１００３に示す方向にプレプリント画像の方向を変える。この操作により、制御処理部２０９は、プレプリント紙の給紙装置１に対する向きは「ＬＥＦ」であり、プレプリント紙の印字面は天井側を向いていることをメモリ部２０４に記憶する。
【００５６】
その後、制御処理部２０９は、処理を図４Ｃの（Ａ）に示すＳ６２２に進める。ユーザがスマートモバイル１０１のタッチパネル１０８を操作して確定ボタン１００９を押下すると、制御処理部２０９は、処理をＳ６２３に進める。Ｓ６２３では、制御処理部２０９は、メモリ部２０４から用紙セット向き、プレプリント画像、給紙装置番号、用紙サイズを読み出し、通信部２０７に指示してこれらの情報を印刷装置１１１に送信する。その後、制御処理部２０９は、処理を図４Ａに示すＳ６２４に進める。Ｓ６２４では、制御処理部２０９は、メモリ部２０４にアクセスし、印刷装置１１１から合成画像データを受信しているかを判断する。ここで、印刷装置１１１から合成画像データを受信していると制御処理部２０９が判断した場合、処理をＳ６２５に進める。Ｓ６２５では、制御処理部２０９は、メモリ部２０４から合成画像データを読み出し、表示処理部２０２に指示してタッチパネル１０８上に図７の（Ｄ）に示すように合成画像データ１０１０として表示する。
【００５７】
その後、制御処理部２０９は、処理をＳ６２６，Ｓ６２７と進めるが処理の詳細は説明済みなので割愛する。ここで、合成画像データ１０１０は、プレプリント紙の印刷面が地面側を向いた状態でプレプリント紙の印刷がなされていない面に印刷ジョブの画像が合成されていることを示している。この場合、プレビュー画像はユーザの求める成果物を示していない。これにより、ユーザが指示したプレプリント紙のセット方法が意図しない印刷結果となることをスマートモバイル１０１の表示画面で直感的に確認することができる。
【００５８】
なお、図７の（Ｄ）に示す画面において、ユーザがプレプリント紙セット方向を再指定するためのボタン１０１１を押下すると、制御処理部２０９は、メモリ部２０４にプレプリント紙のセット方向を再指定する指示を記憶する。Ｓ６２７では、制御処理部２０９はメモリ部２０４にアクセスし、印刷開始ボタン１００８が押下されたかを確認する。印刷開始ボタン１００８が押下されていないと制御処理部２０９が判断した場合、処理をＳ６２９に進める。Ｓ６２９では、制御処理部２０９は、メモリ部２０４にアクセスし、用紙回転時の合成イメージを要求されたかを判断する。なお、用紙回転時の合成イメージに関する説明は後述する。ここで、用紙回転時の合成イメージを要求されていないと制御処理部２０９が判断した場合、処理をＳ６３０に進める。
【００５９】
Ｓ６３０では、制御処理部２０９は、メモリ部２０４にアクセスし、スマートモバイル１０１の回転で用紙セット向きを変更する指示がなされているかを判断する。スマートモバイル１０１の回転で用紙セット向きを変更する処理に関する説明は後述する。スマートモバイル１０１の回転で用紙セット向きを変更する指示がなされていないと制御処理部２０９が判断した場合、処理をＳ６３１に進める。
【００６０】
Ｓ６３１では、制御処理部２０９は、メモリ部２０４にアクセスし、プレプリント紙のセット方向を再指定する指示がなされたかを判断する。ここで、プレプリント紙のセット方向を再指定する指示がなされていると制御処理部２０９が判断した場合、処理をＳ６３３に進める。Ｓ６３３では、制御処理部２０９は通信部２１２に指示し、印刷装置１１１に対してプレプリント紙のセット方向を再指定する通知を行う。
【００６１】
その後、処理をＳ６１５に進める。この後、ユーザはタッチパネル１０８を操作することでプレプリント紙の用紙セット方向の指定をやり直す事が出来る。プレプリント紙の用紙セット方向の指定については説明済みなので詳細を割愛する。
一方、Ｓ６３１にてプレプリント紙のセット方向を再指定する指示がなされていないと制御処理部２０９が判断した場合、処理をＳ６３２に進める。図７に示す（Ｄ）の画面にてユーザが再撮影ボタン１０１９を押下すると、制御処理部２０９は、再撮影ボタン１０１９が押下された旨をメモリ部２０４に記憶する。
次に、Ｓ６３２にて制御処理部２０９はメモリ部２０４にアクセスし、再撮影ボタンが押下されたかを判断する。ここで、再撮影ボタンが押下されていないと制御処理部２０９が判断した場合処理をＳ６２７に進める。
一方、再撮影ボタン１０１９が押下されていると制御処理部２０９が判断した場合、処理をＳ６４３に進める。Ｓ６４３では、制御処理部２０９は、通信部２０７に指示し、用紙を置き直して再撮影する旨を印刷装置１１１に通知する。その後、処理をＳ６０４に進める。以降の処理については説明済みなので割愛する。
＜印刷装置による第３の用紙セット方向決定処理＞
【００６２】
続いて印刷装置１１１１による第３の用紙セット方向決定処理について説明する。本フローチャートは、ＲＯＭ１１３に格納されたプログラムをＣＰＵ１１５がＲＡＭ１１４に読み出して実行することによって実現される。
図６に示すＳ３０１で、制御処理部２１４は、通信部２１２にアクセスし印刷ジョブを受け付けたかを判断する。印刷ジョブを通信部２１２が受け付けたと制御処理部２１４が判断した場合、処理が図６に示すＳ３０１、Ｓ３０２、Ｓ３０３、Ｓ３０４、及び図８に示すＳ４０１、Ｓ４０２、Ｓ４０３、Ｓ４０４、Ｓ４０６と進む。
【００６３】
これらの処理については説明済みなので詳細を割愛する。
そして、図８に示すＳ４０６では、印刷装置１１１の制御処理部２１４は、メモリ部２１７にアクセスし、スマートモバイル１０１から印字指示がなされたかを判断する。スマートモバイル１０１から印字指示がないと制御処理部２１４が判断した場合、処理をＳ４０７に進める。Ｓ４０７では、制御処理部２１４は、メモリ部２１７にアクセスし、スマートモバイル１０１から用紙回転時の合成イメージが要求されたかを判断する。スマートモバイル１０１から用紙回転時の合成イメージが要求されたときの処理については後述する。
【００６４】
ここで、スマートモバイル１０１から用紙回転時の合成イメージが要求されていないと制御処理部２１４が判断した場合、処理をＳ４０９に進める。Ｓ４０９では、制御処理部２１４は、メモリ部２１７にアクセスし、スマートモバイル１０１の回転で用紙セット向きを確定する指示がなされたかを判断する。スマートモバイル１０１の回転で用紙セット向きを確定する処理については後述する。
ここで、スマートモバイル１０１の回転で用紙セット向きを確定する指示がなされていないと制御処理部２１４が判断した場合、処理をＳ４１１に進める。
【００６５】
Ｓ４１１では、制御処理部２１４は、メモリ部２１７にアクセスし、スマートモバイル１０１からプレプリント紙のセット方向を再指定する指示がなされたかを判断する。スマートモバイル１０１による第３の用紙セット方向決定処理にて説明したが、スマートモバイル１０１からプレプリント紙のセット方向を再指定する指示がなされた場合、その旨が制御処理部２１４によりメモリ部２１７に記憶されている。制御処理部２１４は、メモリ部２１７からプレプリント紙のセット方向を再指定する指示がなされていることを確認すると、処理をＳ４０１に進める。
【００６６】
この後、スマートモバイル１０１から合成に必要な情報が取得され、その情報を基にプレビュー画像データ（合成画像データ）の作成を行う。プレビュー画像データの作成については説明済みなので詳細を割愛する。
ここで、説明を処理をＳ４１１に戻す。Ｓ４１１では、制御処理部２１４は、メモリ部２１７にアクセスし、スマートモバイル０１からプレプリント紙のセット方向を再指定する指示がなされていないと、制御処理部２１４が判断した場合、処理をＳ４１２に進める。スマートモバイル１０１から再撮影指示を受け付けた場合、制御処理部２１４はこの旨をメモリ部２１７に記憶する。
【００６７】
Ｓ４１２にて、制御処理部２１４はメモリ部２１７にアクセスし、再撮影指示を受け付けたかを判断する。再撮影指示を受け付けていないと、制御処理部２１４が判断した場合、処理をＳ４０６に進める。
一方、再撮影指示を受け付けていなと、制御処理部２１４はが判断した場合、処理をＳ４０１に進める。以降の処理については説明済みなので割愛する。
さらに４つ目の例として、印刷ジョブがＡ４サイズ１ページ分のデータで作成されており、これをＡ３サイズのプレプリント紙で拡大印刷する場合の処理について説明する。
＜スマートモバイルによる第４の用紙セット方向決定処理＞
【００６８】
はじめにスマートモバイル１０１における、第４の用紙セット方向決定処理について説明する。本フローチャートは、ＲＯＭ１０２に格納されたプログラムをＣＰＵ１０４がＲＡＭ１０３に読み出して実行することによって実現される。
図４Ａに示すＳ６０１にて、ユーザがスマートモバイル１０１のタッチパネル１０８に表示された印刷開始ボタン９０３（図５の（Ａ）参照）を押下すると、制御処理部２０９は、次のように制御する。制御処理部２０９は、表示処理部２０２に指示し、図５の（Ａ）の選択画面９０４をタッチパネル１０８に表示する。その後、ユーザがＹＥＳボタン９０５を押下すると、制御処理部２０９は、印刷ジョブにプレプリント紙を使用する旨をメモリ部２０４に書き込み、処理をＳ６０２に進める。以降、スマートモバイル１０１による第３の用紙セット方向決定処理と同じユーザ操作を行うと、処理が図４Ａ、図４Ｃの（Ａ）に示すＳ６０２〜Ｓ６１９まで進むが詳細は説明済みなので割愛する。
ここで、図５の（Ｄ）に示す用紙セットモード画面９１４がタッチパネル１０８に表示されているときに、ユーザは用紙サイズボタン９１８を押下すると、制御処理部２０９は、処理を図４Ｃの（Ａ）に示すＳ６２０に進める。
【００６９】
Ｓ６２０では、制御処理部２０９は、表示処理部２０２に指示し、用紙サイズを選択するポップアップ９１９をタッチパネル１０８に表示する。ユーザが用紙サイズ「Ａ３」ボタン９２１を押下すると、制御処理部２０９は、押下された用紙サイズ「Ａ３」をメモリ部２０４に記憶する。その後、制御処理部２０９は、処理をＳ６２１に進める。
この後、処理はＳ６２１、Ｓ６２２と進み、ユーザにより確定ボタン９２０が押下されると、処理が図４Ｃの（Ａ）に示すＳ６２２、Ｓ６２３、図４ＡのＳ６２５と進む。その詳細は説明済みなので詳細を割愛する。
そして、図４Ａに示すＳ６２５では、制御処理部２０９は、メモリ部２０４から合成画像データを読み出す。そして、制御処理部２０９は、表示処理部２０２に指示してタッチパネル１０８上に合成画像データを図７の（Ｅ）に示すように画像情報に対して変倍指示を受け付ける表示画面に表示する。
図７の（Ｅ）において、１０１２は、印刷装置１１１側で生成されたプレプリント画像データと印刷ジョブの画像データとの合成画像データを示している。今回の場合、印刷ジョブの画像は「Ａ４」で、プレプリント紙の用紙サイズは「Ａ３」である。
【００７０】
本例に示すように合成対象となる印刷ジョブの画像データとプレプリント紙の用紙サイズが異なる場合の合成ルールについては後述する。
また、合成対象となる印刷ジョブの画像データとプレプリント紙の用紙サイズが異なる場合は、印刷装置１１１より、印字位置、および、拡大率を指定するＵＩを表示する指示がなされる。これらの指示をスマートモバイル１０１が受け付けた場合、制御処理部２０９は、ＵＩ表示指示がなされた旨をメモリ部２０４に記憶しておく。
そして、図４Ａに示すＳ６２５で、合成画像データをタッチパネル１０８に表示させた後、処理をＳ６２６に進める。Ｓ６２６では、制御処理部２０９は、メモリ部２０４にアクセスし、印字位置、および、拡大率を指定するＵＩを表示する指示がなされたかを確認する。印字位置、および、拡大率を指定するＵＩを表示する指示がなされていると判断した場合、処理をＳ６３４に進める。以下、Ｓ６３４の詳細説明を図４Ｃの（Ｂ）に示すＳ６３５以降で説明する。
図４Ｃの（Ｂ）に示すＳ６３５では、制御処理部２０９は、表示処理部２０２に指示し、図７の（Ｅ）に示す画面１０１８を表示する。その後、処理をＳ６３６に進める。図７の（Ｅ）には、プレプリント画像１０１２、印刷ジョブ画像１０１５を示す。
【００７１】
なお、図７の（Ｅ）に示す画面において、ユーザはタッチパネル１０８を操作することで、印刷ジョブの印字位置を変更したり、印刷ジョブで印刷すべき印刷ジョブ画像１０１５のサイズを変更したりする。
例えばユーザがタッチパネル１０８を操作して矢印１０１６の方向に指をスライドさせると、印刷ジョブ画像１０１５は画像サイズを保ったまま、プレプリント画像１０１３に対する相対位置を矢印１０１６の方向に移動させる。また、ユーザがタッチパネル１０８に表示される印刷ジョブ画像の端部分にタッチし、矢印１０１４の方向に指をスライドさせると、印刷ジョブ画像１０１５はそのサイズを矢印１０１４の方向に拡大する。
【００７２】
このようなユーザ操作が行われると、制御処理部２０９は、制御処理部２０９は、表示処理部２０２に指示してユーザ操作によって更新された印字パラメータをメモリ部２０４に記憶する。
その後、制御処理部２０９は、処理をＳ６３７に進める。ユーザ操作により、図７の（Ｅ）に示す印刷パラメータ確定ボタン１０１７が押下されると、制御処理部２０９は、表示処理部２０２に指示し、印刷パラメータ確定ボタン１０１７が押下された旨をメモリ部２０４に記憶しておく。Ｓ６３７では、制御処理部２０９は、メモリ部２０４にアクセスし、印刷パラメータ確定ボタン１０１７が押下されたかを判断する。印刷パラメータ確定ボタン１０１７が押下されたと制御処理部２０９が判断した場合、処理をＳ６３８に進める。
【００７３】
Ｓ６３８では、制御処理部２０９は、メモリ部２０４から印刷パラメータを取り出し、通信部２０７に指示して印刷装置１１１に送信する。その後、処理をＳ６３９に進める。Ｓ６３９では、制御処理部２０９は、メモリ部２０４にアクセスし、印刷装置１１１から合成画像データを受け付けたかを判断する。印刷装置１１１から合成画像データを受け付けたと制御処理部２０９が判断した場合、処理をＳ６４０に進める。Ｓ６４０では、制御処理部２０９は、メモリ部２０４から合成画像データを取り出し、表示処理部２０２に指示し、合成画像データに基づくプレプリント紙の画像と印刷ジョブの画像とを合成した合成画像をタッチパネル１０８に表示する。その後、本処理を終了する。その後、処理は図４Ａに示すＳ６２７に進み、ユーザが印字開始ボタン９０３を押下することで印刷装置１１１に対して印刷を開始する。詳細は説明済みなので割愛する。
＜印刷装置による第４の用紙セット方向決定処理＞
【００７４】
続いて印刷装置１１１による第４の用紙セット方向決定処理について説明する。本フローチャートは、ＲＯＭ１１３に格納されたプログラムをＣＰＵ１１５がＲＡＭ１１４に読み出して実行することによって実現される。
図６に示すＳ３０１で、制御処理部２１４は、通信部２１２にアクセスし印刷ジョブを受け付けたかを確認する。この後、処理は図６に示すＳ３０１〜３０４、図８に示すＳ４０１〜Ｓ４０２と進むが、詳細は説明済みなので割愛する。
Ｓ４０２では、制御処理部２１４は、プレビュー画像合成部２１３に指示し、プレプリント画像、用紙セット向き、用紙サイズ、給紙装置番号から、プレプリント紙と印刷ジョブの合成画像を生成する。今回の合成には図９に示す欄８１０に示される組み合わせが使用される。ここで、印刷ジョブの画像Ｆとプレプリントの画像Ｐのサイズが異なる場合は、印刷ジョブの画像の左上頂点と、プレプリント画像の左上頂点が、一致するように印刷ジョブの画像を拡大して合成する。
このようにして合成画像データを作成した後、制御処理部２０９はメモリ部２１７に合成画像データを記憶し、処理をＳ４０３に進める。この後、処理はＳ４０３、Ｓ４０４と進むが、詳細は説明済みなので割愛する。
【００７５】
図８に示すＳ４０４では、制御処理部２１４は、メモリ部２１７にアクセスし、受け付けた印刷ジョブの画像サイズとプレプリント紙の用紙サイズが一致するかを判断する。本例の場合、プレプリント画像サイズは「Ａ３」、印刷ジョブ画像のサイズは「Ａ４」で一致しないため、制御処理部２１４は、処理をＳ４０５に進める。
以下、Ｓ４０５の詳細を図１０の（Ａ）に示すフローチャートを参照して説明する。
図１０は、本実施形態を示す印刷システムの制御方法を説明するフローチャートである。なお、各ステップは、印刷装置１１１のＲＯＭ１１３に格納されたプログラムをＣＰＵ１１５がＲＡＭ１１４に読み出して実行することによって実現される。以下、印刷装置がスマートモバイル１０１から受信したプレプリント紙に画像データと、印刷情報とに基づいて印刷結果に対応するプレビュー画像を生成する画像
処理を説明する。
Ｓ５０１では、制御処理部２１４は、通信部２１２に指示し、スマートモバイル１０１に印字位置、拡大率指定ＵＩの表示を指示する。その後、制御処理部２１４処理をＳ５０２に進める。Ｓ５０２では、制御処理部２１４は、メモリ部２１７にアクセスし、スマートモバイル１０１からの印字パラメータを受信したかを判断する。印字パラメータを受信したと制御処理部２１４が判断した場合、処理をＳ５０３に進める。Ｓ５０３では、制御処理部２１４は、プレビュー画像合成部２１３に指示し、スマートモバイル１０１から送られた印字パラメータを基に、プレビュー画像を合成する。
例えば、図７の（Ｅ）に示す画面で、ユーザがタッチパネル１０８に対して矢印１０１４の方向にタッチ操作した場合を考える。
【００７６】
このとき、印刷ジョブ画像サイズが、プレプリント紙と同じ「Ａ３」サイズになるよう拡大されるよう、印字パラメータが更新される。そして、合成ルールとして図９に示した欄８１５のルールを用いてプレビュー画像の合成が行われる。その後、合成画像データをメモリ部２１７に記憶して処理をＳ５０４に進める。Ｓ５０４では、制御処理部２１４は、メモリ部２１７から合成されたプレビュー画像を取り出し、通信部２１２に指示し、スマートモバイル１０１に送信する。その後、処理を終了する。
その後、処理は図８に示すＳ４０６に進み、スマートモバイル１０１からの印字開始命令によりＳ３０５に進むが、詳細は説明済みなので割愛する。
これにより、プレプリント紙を給紙装置にセットしようとするユーザに対し、プレプリント紙のセット向きに基づいたプレプリント画像と印刷ジョブ画像の合成画像を表示させ、用紙セット向きの正しさを確認する事が出来る。
〔第２実施形態〕
本実施形態では、スマートモバイル、および印刷装置を含む印刷システムにおいて、印刷装置１１１で合成されたプレビュー画像がユーザの所望する成果物を示していない場合の表示制御について説明する。具体的には、ユーザがどの向きでプレプリント用紙を給紙装置部１１９のいずれかのカセットにセットすれば良いのかをスマートモバイル１０１のタッチパネル１０８に表示する表示制御例について説明する。
＜スマートモバイルの用紙セット向き選択／決定処理＞
【００７７】
まず、スマートモバイル１０１における、用紙セット向き選択／決定処理について図４Ａ等を参照して説明する。本フローチャートは、ＲＯＭ１０２に格納されたプログラムをＣＰＵ１０４がＲＡＭ１０３に読み出して実行することによって実現される。
図４Ａに示すＳ６０１にて、ユーザが印刷開始ボタン９０３を押下すると、制御処理部２０９は、表示処理部２０２に指示し、図５の（Ａ）に示す選択画面９０４をタッチパネル１０８に表示する。その後、ユーザがＹＥＳボタン９０５を押下すると、制御処理部２０９は、印刷ジョブはプレプリント紙を使用する旨をメモリ部２０４に書き込み、処理をＳ６０２に進める。以降、第１実施形態に示した２つ目の例と同じユーザ操作を行うと、処理がＳ６０２〜Ｓ６２１まで進むが詳細は説明済みなので割愛する。
【００７８】
ここでユーザがタッチパネル１０８を操作して、回転操作を受け付ける図５の（Ｄ）に示す方向にプレプリント画像９１５の向きをセットする。このとき、プレプリント紙の給紙装置部１１９のカセットに対する向きは「ＳＥＦ」であり、プレプリント紙の印字面は天井側を向いていることがメモリ部２０４に記憶される。その後、処理をＳ６２２に進める。ここで、ユーザがタッチパネル１０８を操作して確定ボタン９２０を押下すると、制御処理部２０９は、処理をＳ６２３に進める。その後、処理はＳ６２３、Ｓ６２４、Ｓ６２５と進むが詳細は説明済みなので割愛する。
Ｓ６２５では、制御処理部２０９は、メモリ部２０４から合成画像データを読み出し、表示処理部２０２に指示してタッチパネル１０８上に合成画像１１０１を図１１の（Ａ）に示すように表示する。
【００７９】
図１１は、本実施形態を示すスマートモバイル１０１に表示されるＵＩ画面の一例を示す図である。
図１１の（Ａ）において、合成画像１１０１はプレプリント紙の印字面が地面側を向いた状態に対し、印刷ジョブの画像が天井側の面に印字されることを示している。本画面表示後、制御処理部２０９は処理をＳ６２６に進める。この後、処理はＳ６２７，Ｓ６２９と進むが詳細は説明済みなので割愛する。
図１１の（Ａ）に示す画面にて、ユーザが用紙回転イメージ表示ボタン１１０２を押下すると、制御処理部２０９は、メモリ部２０４に用紙回転イメージ表示ボタン１１０２が押下された旨を記憶する。図４Ａに示すＳ６２９では、制御処理部２０９は、メモリ部２０４にアクセスし、用紙回転イメージ表示ボタン１１０２が押下されたかを確認する。用紙回転イメージ表示ボタン１１０２が押下されたと判断した場合、処理をＳ６４１に進める。
ここで、Ｓ６４１の詳細を図１２の（Ａ）に示すフローチャートを用いて説明する。
図１２は、本実施形態を示す印刷システムの制御方法を説明するフローチャートである。なお、各ステップは、ＲＯＭ１０２に格納されたプログラムをＣＰＵ１０４がＲＡＭ１０３に読み出して実行することによって実現される。
Ｓ７０１では、制御処理部２０９は、メモリ部２０４にアクセスし、印刷装置１１１から用紙回転イメージを受信しているかを判断する。ここで、用紙回転イメージを受信していると制御処理部２０９が判断した場合、処理をＳ７０２に進める。
Ｓ７０２では、制御処理部２０９は、メモリ部２０４から用紙回転イメージを取得し、表示処理部２０２に指示してタッチパネル１０８に表示する。用紙回転イメージを表示させた状態の画面１１０３を図１１の（Ｂ）に示す。本画面表示後、制御処理部２０９は、処理を図１２に示すＳ７０３に進める。図１１の（Ｂ）に示す画面上で、ユーザはタッチパネル１０８を操作することで所望の用紙回転イメージを選択する。ユーザが用紙回転イメージ１１０４をタッチすると、制御処理部２０９は、用紙回転イメージ１１０４が選択された旨をメモリ部２０４に記憶する。
【００８０】
そして、Ｓ７０３では、制御処理部２０９は、メモリ部２０４にアクセスし、いずれの用紙回転イメージが選択されたかを判断する。用紙回転イメージが選択されていると制御処理部２０９が判断した場合、処理をＳ７０４に進める。Ｓ７０４では、制御処理部２０９は、メモリ部２０４から選択された用紙回転イメージを取得し、通信部２０７に指示して印刷装置１１１に送信する。その後、制御処理部２０９は、処理をＳ７０５に進める。
Ｓ７０５では、制御処理部２０９は、メモリ部２０４にアクセスし、用紙セット手順を印刷装置１１１から受信したかを判断する。ここで、印刷装置１１１から用紙セット手順とは、先に選択した用紙回転イメージ通りの成果物を得るためには、プレプリント紙を給紙装置部１１９のカセットに対してどの向きに変更する必要があるのかという情報を示す。ここで、用紙セット手順を受信したと制御処理部２０９が判断した場合、処理をＳ７０６に進める。Ｓ７０６では、制御処理部２０９は、メモリ部２０４から用紙セット手順を取得し、表示処理部２０２に指示してタッチパネル１０８に表示する。
【００８１】
図１１の（Ｂ）では、用紙セット手順１１０５が表示される例を示す。これは、プレプリント画像９１５で示したプレプリント紙を機器奥側にひっくり返し、さらに左に１８０°回転させることで成果物（用紙回転イメージ１１０４に対応する）が得られる事を示す。用紙セット手順作成方法については後述する。用紙セット手順１１０５の表示後、処理を終了する。この後、制御処理部２０９は、処理を図４Ａに示すＳ６３０に進める。以降、ユーザは、プレプリント紙の用紙セット向きを変更して給紙装置部１１９のカセットにセットし、印刷開始ボタン１１０６を押下することで、処理はＳ６３０、Ｓ６３１、Ｓ６３２、Ｓ６２７、Ｓ６２８と進むが詳細は割愛する。
＜印刷装置の用紙セット向き選択／決定処理＞
【００８２】
続いて、印刷装置１１１における、用紙セット向き選択／決定処理について説明する。本フローチャートは、ＲＯＭ１１３に格納されたプログラムをＣＰＵ１１５がＲＡＭ１１４に読み出して実行することによって実現される。
図６に示すＳ３０１で、制御処理部２１４は、メモリ部２１７にアクセスし印刷ジョブを受け付けたかを判断する。印刷ジョブを受け付けたと制御処理部２１４が判断した場合、処理がＳ３０１、Ｓ３０２、Ｓ３０３、Ｓ３０４、図８に示すＳ４０１、Ｓ４０２、Ｓ４０３、Ｓ４０４、Ｓ４０６と進む。この処理については説明済みなので詳細を割愛する。
【００８３】
図８に示すＳ４０６では、制御処理部２１４は、メモリ部２１７にアクセスし、スマートモバイル１０１から印字指示がなされたかを判断する。スマートモバイル１０１から印字指示がない場合、処理をＳ４０７に進める。Ｓ４０７では、制御処理部２１４は、メモリ部２１７にアクセスし、スマートモバイル１０１から用紙回転時の合成イメージが要求されたかを判断する。ここで、合成イメージが要求されていると制御処理部２１４が判断した場合、処理をＳ４０８に進める。Ｓ４０８の詳細を図１０の（Ｂ）に示すＳ５０５より行う。Ｓ５０５では、制御処理部２１４は、プレビュー画像合成部２１３に指示して用紙回転時の合成イメージを作成する。
ここで用紙回転時の合成イメージの作成について、図１３を用いて説明する。
図１３は、図１に示した印刷装置１１１における合成イメージ作成状態を説明する模式図である。
図１３において、「Ｐ」で示される矩形画像はプレプリント紙の方向を示している。また、図中において、「Ｆ」で示される矩形画像は、Ｓｍａｌｌ系の印刷ジョブの画像天を示している。また、各楕円はプレプリント紙の向きと、Ｓｍａｌｌ系の印刷ジョブの画像天の組み合わせを示している。また各楕円は、図９に示したＳｍａｌｌ系の画像合成ルールと対応している。
【００８４】
例えば、楕円１３０１は、図９に示したプレプリント紙セット向き８１３に対応しており、これはＳｍａｌｌ系の横長画像を印刷ジョブとしたときで、かつ、プレプリント紙を天井側に向けてＳＥＦの方向でセットしたときの合成ルールを示している。スマートモバイル１０１から用紙回転時の合成イメージが要求された場合、既に合成に使用された合成ルールを除き、図１３の楕円で示される合成ルールを使用して合成イメージを作成する。例えば、Ｓ４０２にて、楕円１３０１の合成ルールを使用して合成イメージが作成されており、かつ、スマートモバイル１０１から用紙回転時の合成イメージが要求された場合を考える。
【００８５】
この場合、楕円１３０１を除く７つの楕円１３０２〜１３０８に示される合成ルールを使用してＳｍａｌｌ系の印刷ジョブ画像と、プレプリント画像の合成イメージが７種類作成される。合成イメージ作成後、制御処理部２１４は、合成イメージをメモリ部２１７に記憶して処理をＳ５０６に進める。
図１０の（Ｂ）に示すＳ５０６では、制御処理部２１４は、メモリ部２１７から用紙回転時の合成イメージを取得し、通信部２１２に指示してスマートモバイル１０１に送信する。その後、処理をＳ５０７に進める。この後、印刷装置１１１がスマートモバイル１０１から選択された用紙回転イメージを受信すると、受信した用紙回転イメージをメモリ部２１７に記憶する。Ｓ５０７で、制御処理部２１４は、用紙回転イメージをメモリ部２１７に格納されていることを確認すると、処理をＳ５０８に進める。
【００８６】
Ｓ５０８では、合成イメージ出力するための用紙手順を作成する。具体的には、制御処理部２０９は、メモリ部２１４にアクセスし、受信した用紙回転イメージを取得する。さらに、プレビュー画像合成部２１３に指示し、取得した用紙回転イメージが、図１３における、どの合成ルールで作成されたものであるかを解析する。選択された用紙回転イメージ１１０４は、楕円１３０２で示される合成ルールに基づき作成されたものである。
次に、選択された合成イメージを出力するための用紙セット手順作成方法について説明する。用紙セット手順作成には、元々合成イメージを生成するために使用された合成ルール（楕円１３０１に対応する）と、スマートモバイル１０１から送られた用紙回転イメージを生成するために使用された合成ルール（楕円１３０２に対応する）を使用する。
【００８７】
図１３において、各楕円を結ぶ結線にはプレプリント紙の置き直し方向が定義される。用紙セット手順作成は、合成ルールを楕円１３０１から楕円１３０２へと矢印をたどったときに、結線に書かれたプレプリント紙の置き直し方向を組み合わせることで生成される。具体的には、合成ルールを楕円１３０１から楕円１３０２に遷移するには、楕円１３０１、１３０３、１３０４、１３０２という合成ルートを辿るため、用紙セット手順は「用紙を機器奥側に上下反転させ、左に１８０°させてセットする」として生成される。そして、制御処理部２１４は、Ｓ５０８で作成した用紙セット手順をメモリ部２１７に記憶して処理をＳ５０９に進める。Ｓ５０９では、制御処理部２１４は、メモリ部２１７から用紙セット手順を取得し、通信部２１２に指示して、スマートモバイル１０１に送信する。その後、処理を終了する。この後、処理はＳ４０６に進む。以降、ユーザが用紙セット向きを変更して給紙装置にセットし、印刷開始ボタン１１０６を押下することで、処理はＳ４０６、Ｓ３０５と進むが詳細は割愛する。
これにより、プレプリント紙の置き直しが必要になる場合、プレプリント紙をどのように置き直せばどのような成果物が出来るかを表示することで、何度もプレプリント紙を置き直す作業を減らすことが出来る。
【００８８】
〔第３実施形態〕
本実施形態では、スマートモバイル、及び印刷装置を含む印刷システムで、印刷装置で合成されたプレビュー画像がユーザの所望する成果物を示していない場合に、ユーザがスマートモバイルを回転することで用紙セット方向を指定する処理について説明する。
＜スマートモバイルの回転による用紙セット方向決定処理＞
【００８９】
まず、スマートモバイルにおける、用紙セット方向決定処理について説明する。本フローチャートは、ＲＯＭ１０２に格納されたプログラムをＣＰＵ１０４がＲＡＭ１０３に読み出して実行することによって実現される。
図４Ａに示すＳ６０１にて、ユーザが印刷開始ボタン９０３を押下すると、制御処理部２０９は、表示処理部２０２に指示し、図５の（Ａ）に示す選択画面９０４をタッチパネル１０８に表示する。
【００９０】
その後、ユーザがＹＥＳボタン９０５を押下すると、制御処理部２０９は、印刷ジョブはプレプリント紙を使用する旨をメモリ部２０４に書き込み、処理をＳ６０２に進める。以降、第１実施形態の２つ目の例と同じユーザ操作を行うと、処理がＳ６０２〜Ｓ６２１まで進むが詳細は説明済みなので割愛する。
ここでユーザがタッチパネル１０８を操作して、プレプリント紙に対する用紙設定を受け付ける図５の（Ｄ）に示すプレプリント画像９１５に示す方向にプレプリント画像の方向をセットする。このとき、プレプリント紙の給紙装置に対する向きは「ＳＥＦ」であり、プレプリント紙の印字面は天井側を向いていることがメモリ部２０４に記憶される。その後、処理をＳ６２２に進める。ここで、ユーザがタッチパネル１０８を操作して確定ボタン１００９を押下すると、制御処理部２０９は、処理をＳ６２３に進める。
その後、処理は図４Ｃの（Ａ）に示すＳ６２３、図４Ａに示すＳ６２４、Ｓ６２５と進むが詳細は説明済みなので割愛する。Ｓ６２５では、制御処理部２０９は、メモリ部２０４から合成画像を読み出し、表示処理部２０２に指示してタッチパネル１０８上に合成画像１１０１を図１１の（Ａ）に示す画面のように表示する。
【００９１】
図１１の（Ａ）において、合成画像１１０１はプレプリント紙の印字面が地面側を向いた状態に対し、印刷ジョブ画像が天井側の面に印字されることを示している。本画面表示後、制御処理部２０９は処理をＳ６２６に進める。この後、処理はＳ６２７，Ｓ６２９，Ｓ６３０と進むが詳細は説明済みなので割愛する。
図１１の（Ａ）に示す画面において、合成画像１１０１に対してユーザがデバイス回転で用紙セット向き指定ボタン１１０７を押下すると、制御処理部２０９は、メモリ部２０４にデバイス回転で用紙セット向き指定ボタンが押下された旨を記憶する。Ｓ６３０では、制御処理部２０９は、メモリ部２０４にアクセスし、デバイス回転で用紙セット向き指定ボタンが押下されたかを確認する。デバイス回転で用紙セット向き指定ボタンが押下されたと判断した場合、制御処理部２０９は、処理をＳ６４２に進める。
【００９２】
図４Ａに示すＳ６４２の詳細を図１２の（Ｂ）に示すフローチャートを参照してＳ７０７より説明する。
Ｓ７０７では、制御処理部２０９は表示処理部２０２に指示し、タッチパネル１０８上にデバイス回転用ＵＩ１２０１を図１４の（Ａ）に示すように機器情報（印刷装置に収容されるカセットの形態を示す情報）に対応づけて表示する。
図１４の（Ａ）において、１２０２は選択された給紙装置部１１９に対応するカセットを真上から見た給紙装置画像を示している。また、１２０３はプレプリント画像を示している。本画面を表示させた後、制御処理部２０９は処理をＳ７０８に進める。
Ｓ７０８では、制御処理部２０９は加速度検知部２０８に指示し、加速度の変化を計測する。尚、スマートモバイル１０１の１２０４の方向は重力方向、つまり、地面側に向いているものとする。このとき、ユーザがスマートモバイル１０１を矢印１２０５に回転すると、加速度検知部２０８は、重力加速度の変化をメモリ部２０４に記憶する。さらに、制御処理部２０９は重力加速度の変化に基づいて、プレプリント画像１２０３の向きを変えて表示する。向きを変えたプレンプリントの画像１２０６を、図１４の（Ｂ）に示すように表示する。この後、制御処理部２０９は処理をＳ７０９に進める。ここで、ユーザがタッチパネル１０８を操作して矢印１２０７の方向になぞると、制御処理部２０９はメモリ部２０４にアクセスし、プレプリント画像を機器奥側向けてひっくり返した画像を表示する。
具体的には、プレプリント紙を撮影した画像データを取得し、表示処理部２０２に指示し、プレプリント画像を裏側から見たプレプリント画像１２０８をタッチパネル１０８に図１４の（Ｃ）に示す画面として表示する。プレプリント画像を表示した後、処理をＳ７１０に進める。ここで、ユーザが確定ボタン１２０９を押下すると、制御処理部２０９は、メモリ部２０４にアクセスし、確定ボタンが押下された旨を記憶する。Ｓ７１０では、制御処理部２０９は、メモリ部２０４にアクセスし、確定ボタン１２０９が押下されたかを確認する。確定ボタンが押下されたと確認した場合、制御処理部２０９は処理をＳ７１１に進める。
【００９３】
Ｓ７１１では、制御処理部２０９はメモリ部２０４から用紙セット向きの変更を取得し、通信部２０７に指示して用紙セット向きをスマートモバイル１０１に送信する。その後、制御処理部２０９は処理をＳ７１２に進める。
Ｓ７１２では、制御処理部２０９は、メモリ部２０４にアクセスし、スマートモバイル１０１からの合成画像があるかを判断する。スマートモバイル１０１からの合成画像を確認した場合、処理をＳ７１３に進める。Ｓ７１３では、制御処理部２０９は、メモリ部２０４から合成画像を取得し、表示処理部２０２に指示し、タッチパネル１０８に合成画像を表示させ、本ン処理を終了する。その後、処理は図４Ａに示すＳ６３１に戻るが、以降の処理は説明済みなので割愛する。
＜印刷装置における、スマートモバイルの回転による用紙セット方向決定処理＞
【００９４】
続いて、印刷装置１１１における、スマートモバイル１０１の回転による用紙セット方向決定処理について説明する。本フローチャートは、ＲＯＭ１１３に格納されたプログラムをＣＰＵ１１５がＲＡＭ１１４に読み出して実行することによって実現される。
図６に示すＳ３０１で、制御処理部２１４は、メモリ部２１７にアクセスし印刷ジョブを受け付けたかを判断する。印刷ジョブを受け付けていると制御処理部２１４が判断した場合、処理が図６に示すＳ３０１、Ｓ３０２、Ｓ３０３、Ｓ３０４、図８に示すＳ４０１、Ｓ４０２、Ｓ４０３、Ｓ４０４、Ｓ４０６と進む。この処理については説明済みなので詳細を割愛する。
そして、図８に示すＳ４０６では、制御処理部２１４は、メモリ部２１７にアクセスし、スマートモバイル１０１から印字指示がなされたかを確認する。スマートモバイル１０１から印字指示がない場合、処理をＳ４０７に進める。
【００９５】
Ｓ４０７では、制御処理部２１４は、メモリ部２１７にアクセスし、スマートモバイル１０１から用紙回転時の合成イメージが要求されたかを確認する。合成イメージが要求されていない場合、処理をＳ４０９に進める。Ｓ４０９では、制御処理部２１４は、メモリ部２１７にアクセスし、スマートモバイル１０１の回転、および、操作で用紙セット向きを変更する指示がなされているかを判断する。この指示がなされていると制御処理部２１４が判断した場合、処理をＳ４１０に進める。以下、Ｓ４１０の詳細を図１０の（Ｃ）に示すＳ５１０より行う。
Ｓ５１０では、制御処理部２１４は、スマートモバイル１０１から用紙セット向きの変更を受信したかを判断する。ここで、用紙セット向きの変更を受信したと制御処理部２１４が判断した場合、処理をＳ５１１に進める。
【００９６】
Ｓ５１１では、制御処理部２１４は、用紙セット向きの変更に基づき、プレプリント画像と、印刷ジョブ画像の合成処理を行う。この場合の合成処理について説明する。まず初めに、Ｓ４０２にて合成画像を作成したときに使用した合成ルールは図９に示したＤＢ中のプレプリント紙セット向き８１３が使用された。そして、Ｓ５１０にて受信したスマートモバイル１０１から受信した用紙セット向き変更情報には、「用紙セット向きを右に１８０°回転させ、さらに機器奥側に向けてひっくり返した」という情報が記されている。これを基に、制御処理部２１４は、合成ルールを確定する。具体的には、合成ルール８１３、つまり、図１１の（Ａ）に示した合成画像１１０１の状態より、先の用紙セット向き変更情報に従って、合成画像１１０１、１１１５、１１１６、１１１７に示すように状態を遷移させる。この場合、合成画像の作成に使用するルールは、１１０２に対応するルール８１３が使用される。制御処理部２１４は、プレビュー画像合成部２１３に指示し、合成ルール８１３を使用して合成画像を生成する。
合成された画像をメモリ部２１７に記憶して処理をＳ５１２に進める。Ｓ５１２では、制御処理部２１４は、メモリ部２１７から合成画像を取得し、通信部２１２に指示し、スマートモバイル１０１に送信する。その後、処理を終了する。この後、処理はＳ４１１に進むが以降の処理については説明済みなので割愛する。
【００９７】
本発明の各工程は、ネットワーク又は各種記憶媒体を介して取得したソフトウエア（プログラム）をパソコン（コンピュータ）等の処理装置（ＣＰＵ、プロセッサ）にて実行することでも実現できる。
【００９８】
本発明は上記実施形態に限定されるものではなく、本発明の趣旨に基づき種々の変形（各実施形態の有機的な組合せを含む）が可能であり、それらを本発明の範囲から除外するものではない。
【符号の説明】
【００９９】
１０１  スマートモバイル
１０８  タッチパネル
１０９  加速度センサ
１１０  撮影デバイス
１１１  印刷装置
【図１】
2015076036.tif 000003
【図２】
2015076036.tif 000004
【図３】
2015076036.tif 000005
【図４Ａ】
2015076036.tif 000006
【図４Ｂ】
2015076036.tif 000007
【図４Ｃ】
2015076036.tif 000008
【図５】
2015076036.tif 000009
【図６】
2015076036.tif 000010
【図７】
2015076036.tif 000011
【図８】
2015076036.tif 000012
【図９】
2015076036.tif 000013
【図１０】
2015076036.tif 000014
【図１１】
2015076036.tif 000015
【図１２】
2015076036.tif 000016
【図１３】
2015076036.tif 000017
【図１４】
2015076036.tif 000018